(57)【要約】【課題】  一旦上下顎模型の噛合状態を介装材で固定した後でも、固化した介装材を容易に取り替えて何度でも噛合状態を変更できて、しかも、上下顎模型のずれ・傾き具合を、容易に検出できる咬合器用モデル及びその製法を提供することを目的とする。【解決手段】  所定間隔で水平状に保持された上下一対の短円柱状ベース部材１，１の間で、上・下顎模型５Ａ，５Ｂが固定される内向面３ａ，３ａを有する一対の模型固定円板３，３と、模型固定円板３，３とベース部材１，１との間に選択的に介装取外自在に配設されるスペーサ円板２と、を備える。また、ベース部材１の内向面１ａと、模型固定円板３の外向面３ｂは、夫々磁石面部15，35を面一状として有する。さらに、磁石面部15，35に吸着取外自在であり介装材４の塑性変形時に介装材４の外・内向面に同一面状に固着される第１・第２金属メッシュ部材を、備える。【選択図】  図２
2005278772.tif 000002
【特許請求の範囲】
【請求項１】
所定間隔で水平状に保持された上下一対の短円柱状ベース部材 (１)(１) の間で、咬合器によって実際の噛合状態に合わされた上・下顎模型 (５Ａ)(５Ｂ) を、塑性変形後固化する介装材 (４)(４) によって、正しい噛合状態にして保持する咬合器用モデルであって、
上記上・下顎模型 (５Ａ)(５Ｂ) が固定される内向面 (３ａ)(３ａ) を有する一対の模型固定円板 (３)(３) と、該模型固定円板 (３)(３) とベース部材 (１)(１) との間に選択的に介装取外自在に配設されるスペーサ円板（２) と、を備え、
上記ベース部材（１）と上記模型固定円板（３) は、夫々の側部に、ずれ検出用の目盛り (16)(36) を、有し、
上記ベース部材（１）の内向面（１ａ) と、上記模型固定円板（３）の外向面（３ｂ）は、夫々磁石面部 (15)(35）を面一状として有し、
上記磁石面部 (15)(35）に吸着取外自在であり上記介装材（４）の塑性変形時に該介装材（４）の外・内向面に同一面状に埋設される第１・第２金属埋込部材 (Ｍ1 )(Ｍ2 ) を、備え、
噛合状態の調整後の上記両目盛り (16)(36) のずれ（Ｄ）によって、上記上・下顎模型 (５Ａ)(５Ｂ) の相互の鉛直軸心廻りと水平方向のずれが検出され、
上記ベース部材（１）に対する上記模型固定円板（３）の傾斜角度（θ）によって、上記上・下顎模型 (５Ａ)(５Ｂ) の相互の傾きが検出されるように構成したことを特徴とする咬合器用モデル。
【請求項２】
所定間隔で水平状に保持された上下一対の短円柱状ベース部材 (１)(１) の間で、咬合器によって実際の噛合状態に合わされた上・下顎模型 (５Ａ)(５Ｂ) を、塑性変形後固化する介装材 (４)(４) によって、正しい噛合状態にして保持する咬合器用モデルであって、
上記上・下顎模型 (５Ａ)(５Ｂ) が固定される内向面 (３ａ)(３ａ) を有する一対の模型固定円板 (３)(３) と、該模型固定円板 (３)(３) とベース部材 (１)(１) との間に選択的に介装取外自在に配設されるスペーサ円板（２) と、を備え、
上記ベース部材（１）と上記模型固定円板（３）は、その側部に、ずれ検出用の目盛り (16)(36) を、有し、
上記スペーサ円板（２) の内向面（２ａ）と、上記模型固定円板（３）の外向面（３ｂ）は、夫々磁石面部 (25)(35）を面一状として有し、
上記磁石面部 (25)(35）に吸着取外自在であり上記介装材（４）の塑性変形時に該介装材（４）の外・内向面に同一面状に埋設される第１・第２金属埋込部材 (Ｍ1 )(Ｍ2 ) を、備え、
噛合状態の調整後の上記両目盛り (16)(36) のずれ（Ｄ）によって、上記上・下顎模型 (５Ａ)(５Ｂ) の相互の鉛直軸心廻りと水平方向のずれが検出され、
上記ベース部材（１）に対する上記模型固定円板（３）の傾斜角度（θ）によって、上記上・下顎模型 (５Ａ)(５Ｂ) の相互の傾きが検出されるように構成したことを特徴とする咬合器用モデル。
【請求項３】
上記ベース部材（１）は、その内向面（１ａ）に、位置決め用の第１嵌合凹部（11）を有し、
上記スペーサ円板（２）は、その外向面（２ｂ）に、上記第１嵌合凹部（11）に嵌合可能な位置決め用の第１嵌合凸部（12）を有すると共に、その内向面（２ａ）に、上記第１嵌合凹部（11）と同じ形状及び配置の位置決め用第３嵌合凹部（31）、及び上記第１嵌合凹部（11）と異なる形状の位置決め用第２嵌合凹部（21）を、有し、
さらに、上記模型固定円板（３）は、その外向面（３ｂ）に、上記第２嵌合凹部（21）に嵌合可能な位置決め用の第２嵌合凸部（22）を有する請求項１又は２記載の咬合器用モデル。
【請求項４】
所定間隔で水平状に保持された上下一対の短円柱状ベース部材 (１)(１) の内向面 (１ａ)(１ａ) に、スペーサ円板 (２)(２) と、模型固定円板 (３)(３) とを順に、吸着分離自在に重ね、上記ベース部材 (１)(１) の間で、上記上・下顎模型 (５Ａ)(５Ｂ) を、咬合器で実際の噛合状態に合わせて、模型固定円板 (３)(３) の内向面 (３ａ)(３ａ) 側に固定し、
その後、上記スペーサ円板（２）を取り外し、
上記ベース部材（１）と上記模型固定円板（３）の間に、塑性変形後固化する介装材（４）を配設し、かつ、該介装材（４）の外・内向面と、上記ベース部材（１）・上記模型固定円板（３）との間に夫々第１・第２金属埋込部材 (Ｍ1 )(Ｍ2 ) を介在させて、  該第１・第２金属埋込部材 (Ｍ1 )(Ｍ2 ) を、上記ベース部材（１）の内向面（１ａ）に備えられた磁石面部（15）と、上記模型固定円板（３）の外向面（３ｂ）に備えられた磁石面部（35）とに磁力によって吸着させると共に該介装材（４）に埋設させ、上記上・下顎模型 (５Ａ)(５Ｂ) を正しい噛合状態にして上記介装材（４）を固化させて、
上記ベース部材（１）と上記模型固定円板（３）の側部に備えられた目盛り (16)(36) のずれ（Ｄ）を測定して、噛合状態調整後の上記上・下顎模型 (５Ａ)(５Ｂ) の相互の鉛直軸心廻りと水平方向のずれを検出し、
さらに、上記ベース部材（１）に対する上記模型固定円板（３）の傾斜角度（θ）を測定して、上記上・下顎模型 (５Ａ)(５Ｂ) の相互の傾きを検出することを特徴とする咬合器用モデルの製法。
【請求項５】
所定間隔で水平状に保持された上下一対の短円柱状ベース部材 (１)(１) の内向面 (１ａ)(１ａ) に、スペーサ円板 (２)(２) と、模型固定円板 (３)(３) とを順に、吸着分離自在に重ね、上記ベース部材 (１)(１) の間で、上記上・下顎模型 (５Ａ)(５Ｂ) を、咬合器で実際の噛合状態に合わせて、模型固定円板 (３)(３) の内向面 (３ａ)(３ａ) 側に固定し、
その後、上記模型固定円板（３）を、上記スペーサ板材（２) から離し、
上記スペーサ円板（２）と上記模型固定円板（３）の間に、塑性変形後固化する介装材（４）を配設し、かつ、該介装材（４）の外・内向面と、上記スペーサ円板（２）・上記模型固定円板（３）との間に夫々第１・第２金属埋込部材 (Ｍ1 )(Ｍ2 ) を介在させて、  該第１・第２金属埋込部材 (Ｍ1 )(Ｍ2 ) を、上記スペーサ円板（２）の内向面（２ａ）に備えられた磁石面部（25）と、上記模型固定円板（３）の外向面（３ｂ）に備えられた磁石面部（35）とに磁力によって吸着させると共に該介装材（４）に埋設させ、上記上・下顎模型 (５Ａ)(５Ｂ) を正しい噛合状態にして上記介装材（４）を固化させて、  上記ベース部材（１）と上記模型固定円板（３）の側部に備えられた目盛り (16)(36) のずれ（Ｄ）を測定して、噛合状態調整後の上記上・下顎模型 (５Ａ)(５Ｂ) の相互の鉛直軸心廻りと水平方向のずれを検出し、
さらに、上記ベース部材（１）に対する上記模型固定円板（３）の傾斜角度（θ）を測定して、上記上・下顎模型 (５Ａ)(５Ｂ) の相互の傾きを検出することを特徴とする咬合器用モデルの製法。
【発明の詳細な説明】
【技術分野】
【０００１】
本発明は、咬合器で実際の噛合状態に合わせた上・下顎模型を、外科的矯正の治療目標に調整して、ずれ・傾きを検出するためのモデル及びその製法に関するものである。
【背景技術】
【０００２】
従来の咬合器用モデルは、咬合器の上部の枠と基台との間で、石膏を硬化させて、上下顎模型を咬合した状態に固定するものが知られている（例えば、特許文献１参照）。
【特許文献１】特開平８−１０７９０６号公報
【発明の開示】
【発明が解決しようとする課題】
【０００３】
この従来の咬合器用モデルは、上下顎模型を一旦石膏で固定して位置決めした後に、修正したり噛合の調整を行いたい場合には、石膏を切断したり、壊して取り外さなければならず、多くの手間が掛かる。また、一旦、調整を行った後は、実際の噛合状態（元の状態）にもどすことができない。
【０００４】
そこで、本発明は、一旦上下顎模型の噛合状態を介装材で固定した後でも、固化した介装材を容易に取り替えて何度でも噛合状態を変更できて、しかも、上下顎模型のずれ・傾き具合を、容易に検出できる咬合器用モデル及びその製法を提供することを目的とする。
【課題を解決するための手段】
【０００５】
上記の目的を達成するために、本発明に係る咬合器用モデルは、所定間隔で水平状に保持された上下一対の短円柱状ベース部材の間で、咬合器によって実際の噛合状態に合わされた上・下顎模型を、塑性変形後固化する介装材によって、正しい噛合状態にして保持するものであって；上記上・下顎模型が固定される内向面を有する一対の模型固定円板と、該模型固定円板とベース部材との間に選択的に介装取外自在に配設されるスペーサ円板と、を備え；上記ベース部材と上記模型固定円板は、夫々の側部に、ずれ検出用の目盛りを、有し；上記ベース部材の内向面と、上記模型固定円板の外向面は、夫々磁石面部を面一状として有し；上記磁石面部に吸着取外自在であり上記介装材の塑性変形時に該介装材の外・内向面に同一面状に埋設される第１・第２金属埋込部材を、備え；噛合状態の調整後の上記両目盛りのずれによって、上記上・下顎模型の相互の鉛直軸心廻りと水平方向のずれが検出され；上記ベース部材に対する上記模型固定円板の傾斜角度によって、上記上・下顎模型の相互の傾きが検出されるように構成したものである。
【０００６】
また、本発明に係る咬合器用モデルは、所定間隔で水平状に保持された上下一対の短円柱状ベース部材の間で、咬合器によって実際の噛合状態に合わされた上・下顎模型を、塑性変形後固化する介装材によって、正しい噛合状態にして保持するものであって；上記上・下顎模型が固定される内向面を有する一対の模型固定円板と、該模型固定円板とベース部材との間に選択的に介装取外自在に配設されるスペーサ円板と、を備え；上記ベース部材と上記模型固定円板は、その側部に、ずれ検出用の目盛りを、有し；上記スペーサ円板の内向面と、上記模型固定円板の外向面は、夫々磁石面部を面一状として有し；上記磁石面部に吸着取外自在であり上記介装材の塑性変形時に該介装材の外・内向面に同一面状に埋設される第１・第２金属埋込部材を、備え；噛合状態の調整後の上記両目盛りのずれによって、上記上・下顎模型の相互の鉛直軸心廻りと水平方向のずれが検出され；上記ベース部材に対する上記模型固定円板の傾斜角度によって、上記上・下顎模型の相互の傾きが検出されるように構成したものである。
【０００７】
また、上記ベース部材は、その内向面に、位置決め用の第１嵌合凹部を有し；上記スペーサ円板は、その外向面に、上記第１嵌合凹部に嵌合可能な位置決め用の第１嵌合凸部を有すると共に、その内向面に、上記第１嵌合凹部と同じ形状及び配置の位置決め用第３嵌合凹部、及び上記第１嵌合凹部と異なる形状の位置決め用第２嵌合凹部を、有し；さらに、上記模型固定円板は、その外向面に、上記第２嵌合凹部に嵌合可能な位置決め用の第２嵌合凸部を有する。
【０００８】
また、本発明に係る咬合器用モデルの製法は、所定間隔で水平状に保持された上下一対の短円柱状ベース部材の内向面に、スペーサ円板と、模型固定円板とを順に、吸着分離自在に重ね、上記ベース部材の間で、上記上・下顎模型を、咬合器で実際の噛合状態に合わせて、模型固定円板の内向面側に固定し；その後、上記スペーサ円板を取り外し；上記ベース部材と上記模型固定円板の間に、塑性変形後固化する介装材を配設し、かつ、該介装材の外・内向面と、上記ベース部材・上記模型固定円板との間に夫々第１・第２金属埋込部材を介在させて；該第１・第２金属埋込部材を、上記ベース部材の内向面に備えられた磁石面部と、上記模型固定円板の外向面に備えられた磁石面部とに磁力によって吸着させると共に該介装材に埋設させ、上記上・下顎模型を正しい噛合状態にして上記介装材を固化させて；上記ベース部材と上記模型固定円板の側部に備えられた目盛りのずれを測定して、噛合状態調整後の上記上・下顎模型の相互の鉛直軸心廻りと水平方向のずれを検出し；さらに、上記ベース部材に対する上記模型固定円板の傾斜角度を測定して、上記上・下顎模型の相互の傾きを検出する。
【０００９】
また、本発明に係る咬合器用モデルの製法は、所定間隔で水平状に保持された上下一対の短円柱状ベース部材の内向面に、スペーサ円板と、模型固定円板とを順に、吸着分離自在に重ね、上記ベース部材の間で、上記上・下顎模型を、咬合器で実際の噛合状態に合わせて、模型固定円板の内向面側に固定し；その後、上記模型固定円板を、上記スペーサ円板から離し；上記スペーサ円板と上記模型固定円板の間に、塑性変形後固化する介装材を配設し、かつ、該介装材の外・内向面と、上記スペーサ円板・上記模型固定円板との間に夫々第１・第２金属埋込部材を介在させて；該第１・第２金属埋込部材を、上記スペーサ円板の内向面に備えられた磁石面部と、上記模型固定円板の外向面に備えられた磁石面部とに磁力によって吸着させると共に該介装材に埋設させ、上記上・下顎模型を正しい噛合状態にして上記介装材を固化させて；上記ベース部材と上記模型固定円板の側部に備えられた目盛りのずれを測定して、噛合状態調整後の上記上・下顎模型の相互の鉛直軸心廻りと水平方向のずれを検出し；さらに、上記ベース部材に対する上記模型固定円板の傾斜角度を測定して、上記上・下顎模型の相互の傾きを検出する。
【発明の効果】
【００１０】
本発明は、次のような著大な効果を奏する。
上・下顎模型の噛合状態を調整した後でも、一旦固化した介装材を、模型固定円板及びベース部材から容易に取り外すことができるので、噛合状態の調整を、容易に何度でもでき、固化した介装材を切断する等の手間を掛けなくてもよい。
そして、簡易な構造でありながら、上・下顎模型について、相互の鉛直軸心廻りと水平方向のずれや、夫々の傾きを、容易に検出することができる。
このように、噛合状態の調整作業が容易になると共に、精度も上昇するので、外科的矯正治療シュミレーションの向上を図り得る。
【００１１】
また、顎模型、スペーサ円板、介装材を、ベース部材から取り外して分解できるので、コンパクトに収納できる。そして、復元も容易である。
また、上・下顎模型を実際の噛合状態に合わせる場合や、正しい噛合状態に調整する場合に、スペーサ円板を、ベース部材と模型固定円板の間隔に応じて、自由に介在させたり取り外すことができるので、上・下顎模型を安定した状態に固定し易い。
また、ベース部材とスペーサ円板を繰り返し利用することができ、部材の無駄を省くことができる。
【発明を実施するための最良の形態】
【００１２】
以下、実施の形態を示す図面に基づき、本発明を詳説する。
図１，図２，図３及び図４に於て、本発明に係る咬合器用モデルは、所定間隔で水平状に保持された上下一対の短円柱状ベース部材１，１の間で、咬合器によって実際の噛合状態に合わされた上・下顎模型５Ａ，５Ｂを、正しい噛合状態への調整後に、塑性変形後固化する介装材４，４によって保持するものである。
20は、夫々咬合器に備えられる上下一対の固定用フレームである。
図５，図６に示すように、ベース部材１の外向面１ｂはネジ孔18を有しており（図５参照）、上下の固定用フレーム20，20の内向側に、ベース部材１，１が、ネジ等のネジ孔18への螺合により固定される。ベース部材１，１の間隔は、９mm〜10mm程度が好ましい。
ベース部材１は、その内向面１ａの中央部に、円形の磁石面部15を、面一状として備えると共に、ベース部材１は、その側部に、等間隔に配列された縦状目盛り16を有する。
また、ベース部材１の内向面１ａは、位置決め用の複数の第１嵌合凹部11…が備えられる。実施例では、３個の第１嵌合凹部11…が、磁石面部15の周囲に均等な間隔をもって等間隔に配設されている。
【００１３】
また、本発明に係る咬合器用モデルは、上・下顎模型５Ａ，５Ｂが固定される内向面３ａ, ３ａを有する一対の模型固定円板３, ３と、模型固定円板３, ３とベース部材１, １との間に選択的に介装取外自在に配設されるスペーサ円板２と、を備える。
具体的には、図７，図８，図９，図10に示すように、スペーサ円板２は、ベース部材１と同一円形状であり、その外向面２ｂの中央部に、ベース部材１の内向面１ａの磁石面部15と磁力によって吸着取外自在な磁性体面26を、面一状として備えると共に、その内向面２ａの中央部に、円形の磁石面部25を、面一状として備える。磁性体面26は、鉄等から成る。
スペーサ円板２の外向面２ｂは、上記第１嵌合凹部11…に嵌合可能な位置決め用の第１嵌合凸部12…が、第１嵌合凹部11…の位置に対応して備えられる。
また、スペーサ円板２の内向面２ａは、第１嵌合凹部11と同じ形状かつ配置の位置決め用第３嵌合凹部31…、及び第１嵌合凹部11と異なる形状の位置決め用の複数の第２嵌合凹部21…が、備えられる。
第１嵌合凹部11と第２嵌合凹部21の形状が相互に異なることにより、ベース部材１に対し、スペーサ円板２と模型固定円板３を吸着させる順を間違えることがない。
【００１４】
また、模型固定円板３は、ベース部材１と同一円形状であり、その外向面３ｂの中央部に、円形の磁石面部35を面一状として備えると共に、その内向面３ａに、（後述する）固定材９の剥離及び滑り防止用の複数列の帯状突起部13…が、クロス状に形成されている。  この帯状突起部13…の内向側端部を、（図10（ｂ）に示すように、）その長手方向に対する横断面に於て、拡大テーパ状に形成すれば、固定材９の固定が強固になる。
模型固定円板３の外向面３ｂは、上記第２嵌合凹部21…に嵌合可能な位置決め用の第２嵌合凸部22…が、第２嵌合凹部21…の位置に対応して備えられる。
さらに、スペーサ円板２と模型固定円板３は、その側部に、ベース部材１の目盛り16と同じ配列の縦状目盛り17，36を有する。  
【００１５】
図１，図２に於て、咬合器によって実際の噛合状態に合わされた上・下顎模型５Ａ，５Ｂの外向側と、上記模型固定円板３, ３の内向面３ａ，３ａ側とは、石膏やしっくい等の固定材９により連結され固定される。
この固定材９による固定の際には、ベース部材１と模型固定円板３との間隔に応じて、ベース部材１と模型固定円板３を直接重ねてスペーサ円板２を介装しなかったり、あるいは、ベース部材１と模型固定円板３の間に１枚又は２枚以上のスペーサ円板２を介装して調整する。
【００１６】
さらに、本発明に係る咬合器用モデルは、介装材４の塑性変形時に介装材４の外・内向面に同一面状に埋設（固着）される第１・第２金属埋込部材Ｍ1 , Ｍ2 を、備える。この埋込部材Ｍ1 , Ｍ2 としては、図面では、メッシュの場合を例示する。なお、磁性材の薄い金属板に埋込用の起立片（突片）を有する部材にて構成するも好ましい。
介装材４は、塑性変形後固化可能な材質で、例えば、ワックス（蝋），シリコン，石膏等である。
スペーサ円材２は、上・下顎模型５Ａ，５Ｂを正しい噛合状態へ調整（変更）する際にベース部材１と模型固定円板３の隙間の大きさに応じて、（図４のように）ベース部材１に重ねられた状態に保持されたり、あるいは、（図２の下顎模型５Ｂの例のように）取り外される。
【００１７】
次に、この咬合器用モデルの作用（使用方法）について説明する。
図１に示すように、上下のベース部材１の内向面１ａの磁石面部15に、スペーサ円板２の外向面２ｂの磁性体面26を磁力により吸着させ、スペーサ円板２の内向面２ａの磁石面部25に、模型固定円板３の外向面２ｂの磁石面部35を、磁力によって吸着させる。
図例のように、スペーサ円板２を２枚以上介在させる場合は、一方の磁石面部25と他方の磁性体面26とにより、該スペーサ円板２，２同士を吸着させる。
このとき、ベース部材１，スペーサ円板２，模型固定円板３は、上述の第１嵌合凹部11と第１嵌合凸部12，第２嵌合凹部21と第２嵌合凸部22，第３嵌合凹部31と第１嵌合凸部12の、夫々の嵌合により位置決めされ、水平方向へ相互にずれない。
そして、上・下顎模型５Ａ，５Ｂを、咬合器によって実際の噛合状態に合わせ、模型固定円板３, ３の内向面３ａ，３ａ側に石膏やしっくい等の固定材９により固定する。
【００１８】
次に、上下の模型固定円板３，３を、スペーサ円板２，２から離し、スペーサ円板２の内向面２ａの磁石面部25に、第１金属埋込部材Ｍ1 を吸着させ（図８参照）、模型固定円板３の外向面３ｂの磁石面部35に第２金属埋込部材Ｍ2 を吸着させる（図９参照）。そして、図２に於て、上顎模型５Ａ側のように、スペーサ円板２と模型固定円板３との間で、介装材４を、第１・第２金属埋込部材Ｍ1 , Ｍ2 に固着させると共に、塑性変形させて、上・下顎模型５Ａ，５Ｂを正しい噛合状態に調整し、固化させる。
そして、スペーサ円板２と模型固定円板３の間に、塑性変形後固化する介装材４を配設し、かつ、介装材４の外・内向面と、スペーサ円板２・模型固定円板３との間に夫々第１・第２金属埋込部材Ｍ1 ，Ｍ2 を介在させる。
そして、第１・第２金属埋込部材Ｍ1 ，Ｍ2 を、スペーサ円板２の内向面２ａに備えられた磁石面部25と、模型固定円板３の外向面３ｂに備えられた磁石面部35とに磁力によって吸着させると共に介装材４に埋設させ、上・下顎模型５Ａ，５Ｂを正しい噛合状態にして介装材４を固化させる。
【００１９】
あるいは、スペーサ円板２をベース部材１から取り外しベース部材１と模型固定円板３との間に介在させない場合は、ベース部材１と模型固定円板３の間に、塑性変形後固化する介装材４を配設し、かつ、介装材４の外・内向面と、ベース部材１・模型固定円板３との間に夫々第１・第２金属埋込部材Ｍ1 ，Ｍ2 を介在させて、同様の作業を行う。
このように、ベース部材１に対する模型固定円板３の傾きが大きくなる場合は、スペーサ円板２を取り外し、傾きが小さい場合は、（図４に示すように）２枚のスペーサ円板２，２を介在させたままにして、間隔の調整を行う。
【００２０】
そして、ベース部材１の目盛り16（あるいはスペーサ円板２の目盛り17）と模型固定円板３の目盛り36のずれＤを測定して、噛合状態調整後の上・下顎模型５Ａ, ５Ｂの相互の鉛直軸心廻りと水平方向のずれを検出する。目盛りは、周方向に、例えば５mmピッチとする。
さらに、ベース部材１に対する模型固定円板３の傾斜角度θを測定して、上・下顎模型５Ａ, ５Ｂの夫々の傾きを検出する
【００２１】
また、介装材４が固化した後に於て、介装材４は、模型固定円板３及びベース部材１（あるいはスペーサ円板２）と、第１・第２金属埋込部材Ｍ1 , Ｍ2 と磁石面部の磁力の吸着によって、くっついている。
よって、図３に示すように、顎模型及び模型固定円板３と、介装材４と、をベース部材１から取り外して収納し、再現させることができる。
また、介装材４を取り外して、新たな第１・第２金属埋込部材Ｍ1 , Ｍ2 と新たな介装材４を用いることで、上・下顎模型５Ａ，５Ｂを、再度正しい噛合状態に（調整）することができる。
【００２２】
以上のように、本発明に係る咬合器用モデルは、所定間隔で水平状に保持された上下一対の短円柱状ベース部材１、１の間で、咬合器によって実際の噛合状態に合わされた上・下顎模型５Ａ，５Ｂを、塑性変形後固化する介装材４，４によって、正しい噛合状態にして保持するものであって、上・下顎模型５Ａ，５Ｂが固定される内向面３ａ，３ａを有する一対の模型固定円板３，３と、模型固定円板３，３とベース部材１，１との間に選択的に介装取外自在に配設されるスペーサ円板２と、を備え、ベース部材１と模型固定円板３は、夫々の側部に、ずれ検出用の目盛り16，36を、有し、ベース部材１の内向面１ａと、模型固定円板３の外向面３ｂは、夫々磁石面部15，35を面一状として有し、磁石面部15，35に吸着取外自在であり介装材４の塑性変形時に介装材４の外・内向面に同一面状に埋設される第１・第２金属埋込部材Ｍ1 ，Ｍ2 を、備え、噛合状態の調整後の両目盛り16，36のずれＤによって、上・下顎模型５Ａ，５Ｂの相互の鉛直軸心廻りと水平方向のずれが検出され、ベース部材１に対する模型固定円板３の傾斜角度θによって、上・下顎模型５Ａ，５Ｂの相互の傾きが検出されるように構成したので、上・下顎模型５Ａ，５Ｂの噛合状態を調整した後でも、固化した介装材４を、模型固定円板３及びベース部材１から容易に取り外すことができるので、噛合状態の調整を、容易に何度でもでき、固化した介装材４を切断する等の手間を掛けなくてもよい。
そして、簡易な構造でありながら、上・下顎模型５Ａ, ５Ｂについて、相互の鉛直軸心廻りと水平方向のずれや、夫々の傾きを、容易に検出することができる。
このように、噛合状態の調整作業が容易になると共に、精度も上昇するので、矯正治療の向上を図り得る。
また、顎模型、スペーサ円板２、介装材４を、ベース部材１から取り外して分解できるので、コンパクトに収納できる。そして、復元も容易である。
また、上・下顎模型５Ａ，５Ｂを実際の噛合状態に合わせる場合や、正しい噛合状態に調整する場合に、スペーサ円板２を、ベース部材１と模型固定円板３の間隔に応じて、自由に介在させたり取り外すことができるので、上・下顎模型５Ａ，５Ｂを安定した状態に固定し易い。
また、ベース部材１とスペーサ円板２を、繰り返し再利用することができる。
【００２３】
また、所定間隔で水平状に保持された上下一対の短円柱状ベース部材１，１の間で、咬合器によって実際の噛合状態に合わされた上・下顎模型５Ａ，５Ｂを、塑性変形後固化する介装材４，４によって、正しい噛合状態にして保持するものであって、上・下顎模型５Ａ，５Ｂが固定される内向面３ａ，３ａを有する一対の模型固定円板３，３と、模型固定円板３，３とベース部材１，１との間に選択的に介装取外自在に配設されるスペーサ円板２と、を備え、ベース部材１と模型固定円板３は、その側部に、ずれ検出用の目盛り16，36を、有し、スペーサ円板２の内向面２ａと、模型固定円板３の外向面３ｂは、夫々磁石面部25，35を面一状として有し、磁石面部25，35に吸着取外自在であり介装材４の塑性変形時に介装材４の外・内向面に同一面状に埋設される第１・第２金属埋込部材Ｍ1 ，Ｍ2 を、備え、噛合状態の調整後の両目盛り16，36のずれＤによって、上・下顎模型５Ａ，５Ｂの相互の鉛直軸心廻りと水平方向のずれが検出され、ベース部材１に対する模型固定円板３の傾斜角度θによって、上・下顎模型５Ａ，５Ｂの相互の傾きが検出されるように構成したので、上・下顎模型５Ａ，５Ｂの噛合状態を調整した後でも、一旦固化した介装材４を、模型固定円板３及びスペーサ円板２から容易に取り外すことができるので、噛合状態の調整を、容易に何度でもでき、固化した介装材４を切断する等の手間を掛けなくてもよい。
そして、簡易な構造でありながら、上・下顎模型５Ａ, ５Ｂについて、相互の鉛直軸心廻りと水平方向のずれや、夫々の傾きを、容易に検出することができる。
このように、噛合状態の調整作業が容易になると共に、精度も上昇するので、矯正治療の向上を図り得る。
また、顎模型、スペーサ円板２、介装材４を、ベース部材１から取り外して分解できるので、コンパクトに収納できる。そして、復元も容易である。
また、上・下顎模型５Ａ，５Ｂを実際の噛合状態に合わせる場合や、正しい噛合状態に調整する場合に、スペーサ円板２を、ベース部材１と模型固定円板３の間隔に応じて、自由に介在させたり取り外すことができるので、上・下顎模型５Ａ，５Ｂを安定した状態に固定し易い。
また、ベース部材１とスペーサ円板２を、繰り返し再利用することができる。
【００２４】
また、ベース部材１は、その内向面１ａに、位置決め用の第１嵌合凹部11を有し、スペーサ円板２は、その外向面２ｂに、第１嵌合凹部11に嵌合可能な位置決め用の第１嵌合凸部12を有すると共に、その内向面２ａに、第１嵌合凹部11と同じ形状及び配置の位置決め用第３嵌合凹部31、及び第１嵌合凹部11と異なる形状の位置決め用第２嵌合凹部21を、有し、さらに、模型固定円板３は、その外向面３ｂに、第２嵌合凹部21に嵌合可能な位置決め用の第２嵌合凸部22を有するので、ベース部材１，スペーサ円板２，模型固定円板３を、迅速に位置決めして吸着させることができると共に、相互が水平方向にずれるのを防止できる。
また、第１嵌合凹部11と第２嵌合凹部21の形状が相互に異なるので、ベース部材１に対し、スペーサ円板２と模型固定円板３を吸着させる順序を間違えたり、吸着させる表裏面を間違えることがない。
【００２５】
また、本発明に係る咬合器用モデルの製法は、所定間隔で水平状に保持された上下一対の短円柱状ベース部材１，１の内向面１ａ，１ａに、スペーサ円板２，２と、模型固定円板３，３とを順に、吸着分離自在に重ね、ベース部材１，１の間で、上・下顎模型５Ａ，５Ｂを、咬合器で実際の噛合状態に合わせて、模型固定円板３，３の内向面３ａ，３ａ側に固定し、その後、スペーサ円板２を取り外し、ベース部材１と模型固定円板３の間に、塑性変形後固化する介装材４を配設し、かつ、介装材４の外・内向面と、ベース部材１・模型固定円板３との間に夫々第１・第２金属埋込部材Ｍ1 ，Ｍ2 を介在させて、第１・第２金属埋込部材Ｍ1 ，Ｍ2 を、ベース部材１の内向面１ａに備えられた磁石面部15と、模型固定円板３の外向面３ｂに備えられた磁石面部35とに磁力によって吸着させると共に介装材４に埋設させ、上・下顎模型５Ａ，５Ｂを正しい噛合状態にして介装材４を固化させて、ベース部材１と模型固定円板３の側部に備えられた目盛り16，36のずれＤを測定して、噛合状態調整後の上・下顎模型５Ａ，５Ｂの相互の鉛直軸心廻りと水平方向のずれを検出し、さらに、ベース部材１に対する模型固定円板３の傾斜角度θを測定して、上・下顎模型５Ａ，５Ｂの相互の傾きを検出するので、上・下顎模型５Ａ，５Ｂの噛合状態を調整した後でも、一旦固化した介装材４を、模型固定円板３及びベース部材１から容易に取り外すことができるので、噛合状態の調整を、容易に何度でもでき、固化した介装材を切断する等の手間を掛けなくてもよい。
そして、簡易な構造でありながら、上・下顎模型５Ａ, ５Ｂについて、相互の鉛直軸心廻りと水平方向のずれや、夫々の傾きを、容易に検出することができる。
このように、噛合状態の調整作業が容易になると共に、精度も上昇するので、矯正治療の向上を図り得る。
また、顎模型、スペーサ円板２、介装材４を、ベース部材１から取り外して分解できるので、コンパクトに収納できる。そして、復元も容易である。
また、上・下顎模型５Ａ，５Ｂを実際の噛合状態に合わせる場合や、正しい噛合状態に調整する場合に、スペーサ円板２を、ベース部材１と模型固定円板３の間隔に応じて、自由に介在させたり取り外すことができるので、上・下顎模型５Ａ，５Ｂを安定した状態に固定し易い。
また、ベース部材１とスペーサ円板２を、繰り返し再利用することができる。
【００２６】
また、本発明に係る咬合器用モデルの製法は、所定間隔で水平状に保持された上下一対の短円柱状ベース部材１，１の内向面１ａ，１ａに、スペーサ円板２，２と、模型固定円板３，３とを順に、吸着分離自在に重ね、ベース部材１，１の間で、上・下顎模型５Ａ，５Ｂを、咬合器で実際の噛合状態に合わせて、模型固定円板３，３の内向面３ａ，３ａ側に固定し、その後、模型固定円板３を、スペーサ円板２から離し、スペーサ円板２と模型固定円板３の間に、塑性変形後固化する介装材４を配設し、かつ、介装材４の外・内向面と、スペーサ円板２・模型固定円板３との間に夫々第１・第２金属埋込部材Ｍ1 ，Ｍ2 を介在させて、第１・第２金属埋込部材Ｍ1 ，Ｍ2 を、スペーサ円板２の内向面２ａに備えられた磁石面部25と、模型固定円板３の外向面３ｂに備えられた磁石面部35とに磁力によって吸着させると共に介装材４に埋設させ、上・下顎模型５Ａ，５Ｂを正しい噛合状態にして介装材４を固化させて、ベース部材１と模型固定円板３の側部に備えられた目盛り16，36のずれＤを測定して、噛合状態調整後の上・下顎模型５Ａ，５Ｂの相互の鉛直軸心廻りと水平方向のずれを検出し、さらに、ベース部材１に対する模型固定円板３の傾斜角度θを測定して、上・下顎模型５Ａ，５Ｂの相互の傾きを検出するので、噛合状態の調整を、容易に何度でもでき、固化した介装材４を切断する等の手間を掛けなくてもよい。
よって、噛合状態を修正したい場合に、固化した介装材４を切断する等の手間を掛けなくても、新たな金属埋込部材Ｍ1 , Ｍ2 と介装材４を用いることで、噛合状態の調整を、容易に何度でもできる。そして、簡易な構造でありながら、上・下顎模型５Ａ, ５Ｂについて、相互の鉛直軸心廻りと水平方向のずれや、夫々の傾きを、容易に検出することができる。
このように、噛合状態の調整作業が容易になると共に、精度も上昇するので、矯正治療の向上を図り得る。
また、顎模型、スペーサ円板２、介装材４を、ベース部材１から取り外して分解できるので、コンパクトに収納できる。そして、復元も容易である。
また、上・下顎模型５Ａ，５Ｂを実際の噛合状態に合わせる場合や、正しい噛合状態に調整する場合に、スペーサ円板２を、ベース部材１と模型固定円板３の間隔に応じて、自由に介在させたり取り外すことができるので、上・下顎模型５Ａ，５Ｂを安定した状態に固定し易い。
また、ベース部材１とスペーサ円板２を、繰り返し再利用することができる。
【図面の簡単な説明】
【００２７】
【図１】本発明に係る咬合器用モデルの実施の一形態を示す正面図である。
【図２】正面図である。
【図３】一部分解正面図である。
【図４】一部正面図である。
【図５】ベース部材の平面図である。
【図６】底面図である。
【図７】スペーサ円板の平面図である。
【図８】底面図である。
【図９】模型固定円板の平面図である。
【図１０】模型固定円板の説明図であって、（ａ）は説明用底面図であり、（ｂ）は説明用側面図である。
【符号の説明】
【００２８】
１  ベース部材
１ａ  内向面
２  スペーサ円板
２ａ  内向面
２ｂ  外向面
３  模型固定円板
３ａ  内向面
３ｂ  外向面
４  介装材
５Ａ  上顎模型
５Ｂ  下顎模型
11  第１嵌合凹部
12  第１嵌合凸部
15  磁石面部
16  目盛り
21  第２嵌合凹部
22  第２嵌合凸部
25  磁石面部
31  第３嵌合凹部
35  磁石面部
36  目盛り
Ｄ  ずれ
Ｍ1 第１金属埋込（メッシュ）部材
Ｍ2 第２金属埋込（メッシュ）部材
θ  傾斜角度
【図１】
2005278772.tif 000003
【図２】
2005278772.tif 000004
【図３】
2005278772.tif 000005
【図４】
2005278772.tif 000006
【図５】
2005278772.tif 000007
【図６】
2005278772.tif 000008
【図７】
2005278772.tif 000009
【図８】
2005278772.tif 000010
【図９】
2005278772.tif 000011
【図１０】
2005278772.tif 000012